(57)【要約】【課題】作業の安全性を確保することができ、編み込み作業のやり直しのおそれを低減することのできる結束帯製組立物品を提供する。【解決手段】多数の包装用の結束帯１をザル編みに編んで組み合わせることにより、小物品である家庭用のバスケット１０を構成する。各結束帯１を、屈曲可能な細長い線条の鉄芯２と、この鉄芯２を挟んで被覆する一対の被覆帯３とから形成するとともに、変形可能な平面矩形の帯形に押出成形する。結束帯１が従来の結束バンドよりも薄く、しかも、被覆帯３が柔らかいので、例え結束帯１を握持して作業しても、被覆帯３の周縁部との摺接に伴い、掌や指を切るおそれがない。【選択図】図１
2018157995.tif 000002
【特許請求の範囲】
【請求項１】
複数の包装用の結束帯が編んで組み合わされることにより、小物品が構成されることを特徴とする結束帯製組立物品。
【請求項２】
複数の包装用の結束帯がザル編み、こだし編み、網代編み、波編み、みだれ編み、菊底編みされる請求項１記載の結束帯製組立物品。
【請求項３】
各結束帯は、屈曲可能な線条芯と、この線条芯を挟んで被覆する複数の被覆部材とを含み、この複数の被覆部材の少なくともいずれかの露出面が着色され、各被覆部材に可撓性が付与される請求項１又は２記載の結束帯製組立物品。
【請求項４】
小物品は、少なくともバスケット、有底の筒体、鍋敷き、あるいはコースターである請求項１、２、又は３記載の結束帯製組立物品。
【発明の詳細な説明】
【技術分野】
【０００１】
本発明は、家庭や職場等で使用されるバスケット、小物入れ、鍋敷き、あるいはコースター等からなる結束帯製組立物品に関するものである。
【背景技術】
【０００２】
家庭や職場等においては、整理整頓を通じて快適性や作業効率を向上させるため、各種の小物入れが必要とされるが、この小物入れは、その設置されるべきスペースに適切に合致する大きさや長さを有していないことが少なくない。この点を踏まえ、身の回りに存在する材料を用いて設置スペースに適切に合致する大きさ・長さの小物入れが製作されることがある。
【０００３】
例えば、段ボール箱を梱包するポリプロピレン（ＰＰ）製の黄色の結束バンドは、段ボール箱の開封後には、切断されて不要となり、廃棄処理されるのが通常である（特許文献１、２、３、４、５参照）が、耐水性や汎用性に優れるので、小物入れ製作のための材料には好都合である。そこで、多数本の結束バンドを廃棄処理することなくストックし、この多数本の結束バンドを手作業で編んで組み合わせれば、所定の大きさ・長さの小物入れやトレイを個別具体的に製作することができる。
【先行技術文献】
【特許文献】
【０００４】
【特許文献１】特開２００８‐１８４１８４号公報
【特許文献２】特開２０１３‐２０９１４７号公報
【特許文献３】特開２０１７‐０４０２８６号公報
【特許文献４】特開２０１６‐２２２２９７号公報
【特許文献５】特開２０１６‐２１６０７０号公報
【発明の概要】
【発明が解決しようとする課題】
【０００５】
従来における小物入れ等は、以上のように多数本の結束バンドの組み合わせにより製作されることがあるが、結束バンドが厚く固いので、細長い帯形の結束バンドを握持して作業すると、結束バンドの周縁部との摺接に伴い、掌や指を切るおそれがある。また、手作業で多数本の結束バンドを編む際、曲げた固い結束バンドから指を離すと、屈曲した結束バンドが元の直線形に直ちに復元し、結束バンドがずれて編み込み状態が解け、その結果、編み込み作業のやり直しを強いられることがある。
【０００６】
本発明は上記に鑑みなされたもので、作業の安全性を確保することができ、編み込み作業のやり直しのおそれを低減することのできる結束帯製組立物品を提供することを目的としている。
【課題を解決するための手段】
【０００７】
本発明においては上記課題を解決するため、複数の包装用の結束帯が編んで組み合わされることにより、小物品が構成されることを特徴としている。
なお、複数の包装用の結束帯がザル編み、こだし編み、網代編み、波編み、みだれ編み、菊底編みされるようにすることができる。
また、各結束帯は、屈曲可能な線条芯と、この線条芯を挟んで被覆する複数の被覆部材とを含み、この複数の被覆部材の少なくともいずれかの露出面が着色され、各被覆部材に可撓性が付与されるようにすることができる。
【０００８】
また、結束帯の線条芯がφ４．５〜６ｍｍの鉄芯であり、各被覆部材が略帯形に形成されてその長さが３０〜１２００ｍｍとされるとともに、被覆部材の幅が４〜２０ｍｍの範囲であると良い。
また、小物品は、少なくともバスケット、有底の筒体、鍋敷き、あるいはコースターであると良い。
【０００９】
ここで、特許請求の範囲における結束帯は、複数用いられるが、この複数には多数が含まれる。この結束帯は、既に所有している既存の製品でも良いし、新たに購入する新規の製品でも良い。結束帯は、有彩色あるいは無彩色で着色されることが好ましい。結束帯の線条芯としては、軟鋼線材等が使用される。結束帯の被覆部材は、樹脂製、紙製、布製、これらの組み合わせ等とされる。
【００１０】
小物品には、少なくとも家庭用、キッチン用、教育用、事務用、文房具用の比較的小さな物品が含まれる。具体的には、バスケット、有底筒体の各種小物入れ、鍋敷き、コースター、机等の引き出し内の仕切り板、引き出し用の整理ボックス、トレイ、ペンスタンド、人形等が含まれる。
【００１１】
本発明によれば、所望の小物品を製作する場合には、結束バンドの代わりに包装用の結束帯を必要な数だけ用意する。この際、小物品の大きさ・色彩・模様等に応じた結束帯、例えば長い結束帯、短い結束帯、着色された結束帯等を適宜用意する。必要数の結束帯を用意したら、この結束帯を用いて小物品を編めば、所定の大きさ・色彩・模様の小物品を製作することができる。結束帯が従来の結束バンドよりも薄く、しかも、被覆部材が可撓性を有するので、例え結束帯を握って作業しても、被覆部材との接触に伴い、掌や指等を切るおそれが少ない。また、結束帯の線条芯が結束帯の形態を維持するので、複数の結束帯を編む際、変形した結束帯が元の形に復元するのを防ぐことができる。
【発明の効果】
【００１２】
本発明によれば、作業の安全性を確保することができ、編み込み作業のやり直しのおそれを低減することができるという効果がある。
【００１３】
請求項２記載の発明によれば、複数の結束帯がザル編みされる場合には、小物品の強度を向上させることができる。また、複数の結束帯がこだし編みされる場合には、模様が鮮やかな小物品を得ることができる。また、複数の結束帯が網代編みされる場合には、縦横の結束帯が略隙間なく編まれるので、丈夫な小物品を得ることができる。
【００１４】
また、複数の結束帯が波編みされる場合には、波模様の小物品を得ることが可能になる。また、複数の結束帯がみだれ編みされる場合には、結束帯の編み目を隠しながら隙間を埋めるように編まれるので、美しい仕上がりの小物品を得ることが可能になる。さらに、複数の結束帯が菊底編みされる場合には、底面積の大きい小物品の強度向上が期待できる。
【００１５】
請求項３記載の発明によれば、結束帯が従来の結束バンドよりも薄く、しかも、被覆部材が柔軟で撓むので、例え結束帯を握って作業しても、被覆部材との接触に伴い、手や指を切るおそれが少ない。また、結束帯の線条芯が結束帯の形態を維持するので、手作業で複数の結束帯を編む際、例え曲げた結束帯から指を離しても、屈曲した結束帯が元の状態に復元するのを防ぐことができる。したがって、結束帯がずれて編み込み状態が解けるのを抑制することができ、編み込み作業のやり直しを防止することができる。
【００１６】
また、結束帯の線条芯と複数の被覆部材とが一体なので、小物品の製作に際し、補強用の芯材を新たに用意する手間を省くことが可能になる。また、被覆部材がポリ塩化ビニル製の結束帯を使用すれば、優れた耐熱性を確保することができるので、小物品の使用可能な温度範囲の拡大が期待できる。さらに、線条芯が結束帯に強度を付与するので、小物品の損傷を抑制することが可能になる。
【００１７】
請求項４記載の発明によれば、小物品がバスケットの場合、外出時の買い物や収納等の便宜を図ることができる。また、小物品が有底の筒体の場合、設置されるべきスペースに適切に合致する大きさの筒体を容易に獲得することができ、この筒体を小物入れとして活用し、整理や収納を図ることができる。
【００１８】
また、小物品が鍋敷きの場合、鍋敷き上に熱い鍋等の調理器を搭載すれば、熱い調理器との接触に伴い、テーブルやキッチン台等が損傷するのを防止することができる。さらに、小物品がコースターの場合、コースター上にコップやタンブラー等を搭載すれば、これらに付着した水滴を吸収させたり、コップやタンブラー等との接触でテーブル等が傷付くのを防止することができる。
【図面の簡単な説明】
【００１９】
【図１】本発明に係る結束帯製組立物品の実施形態を模式的に示す斜視説明図である。
【図２】本発明に係る結束帯製組立物品の実施形態における包装用の結束帯を模式的に示す断面説明図である。
【図３】本発明に係る結束帯製組立物品の第２の実施形態を模式的に示す斜視説明図である。
【図４】本発明に係る結束帯製組立物品の第３の実施形態を模式的に示す斜視説明図である。
【図５】本発明に係る結束帯製組立物品の第４の実施形態を模式的に示す斜視説明図である。
【図６】本発明に係る結束帯製組立物品の第５の実施形態を模式的に示す平面説明図である。
【図７】本発明に係る結束帯製組立物品の第６の実施形態における包装用の結束帯を模式的に示す断面説明図である。
【発明を実施するための形態】
【００２０】
以下、図面を参照して本発明の好ましい実施の形態を説明すると、本実施形態における結束帯製組立物品は、図１や図２に示すように、結束バンドの代わりに多数の包装用の結束帯１を編んで組み合わせることにより、小物品である買い物用のバスケット１０を構成するようにしている。
【００２１】
多数の結束帯１は、自由に編んで組み合わされるが、所定の剛性や強度を確保し結束帯場合には、強度に優れるザル編み（ゴザ目編みともいう）に編んで組み合わされる。このザル編みは、多数の結束帯１を縦横方向に分け、縦方向の複数の結束帯１を一定間隔に並べ、横方向の複数の結束帯１を隙間なく詰めて並べる編み方である。
【００２２】
各結束帯１は、図２に示すように、カラータイ又はタイとも呼ばれ、屈曲可能な細長い線条の鉄芯２と、相対向して鉄芯２を挟んで被覆する一対の被覆帯３とを備え、変形可能な平面矩形の帯形に押出成形されて食品や贈答品等のラッピングに利用される。鉄芯２は、例えばＪＩＳ  Ｇ  ３５０５材ＳＷＲＭ‐６相当品等が使用され、編まれた結束帯１の形態を維持するよう機能する。この鉄芯２は、工作用の鋏で容易に切断できるよう、φ４．５〜６ｍｍ、好ましくはφ４．５〜５．５ｍｍ、より好ましくはφ４．５〜５ｍｍの小径に形成される。
【００２３】
一対の被覆帯３は、平坦な一方の被覆帯３に、鉄芯２を包む他方の被覆帯３が一部膨出変形した状態で一体成形される。各被覆帯３としては、例えば、耐熱性や耐候性に優れるポリ塩化ビニル、ポリエステルとポリエチレンの複合材、ポリエステル、ポリエチレンテレフタレート、ポリプロピレン等からなる長方形の柔軟な薄いシートが用いられ、少なくとも外部に露出する露出面である表面４に製品価値を高める所定の色彩（例えば、赤色、黄色、青色、緑色、黒色、白色、金色、銀色等）や模様が施される。
【００２４】
被覆帯３の長さは、３０〜１２００ｍｍ、好ましくは８０〜２５０ｍｍ、より好ましくは９０〜１５０ｍｍ、さらに好ましくは１００〜１５０ｍｍの範囲が良い。これは、被覆帯３の長さが３０ｍｍ未満の場合には、多数色の結束帯１を用いた編み上げが可能になるものの、編み上げ作業の作業性が悪化するからである。これに対し、被覆帯３の長さが１２００ｍｍを越える場合には、結束帯１が過剰に長いので、引き出し作業の作業性が悪化し、バスケット１０の完成度の低下を招くからである。
【００２５】
被覆帯３の幅は、４〜２０ｍｍ、好ましくは４〜１２ｍｍ、より好ましくは８〜９ｍｍの範囲が良い。これは、被覆帯３の幅が４ｍｍ未満の場合には、結束帯１の幅が過度に狭くなり、結束帯１の使用本数が増加してしまうからである。逆に、２０ｍｍを越える場合には、結束帯１の幅が過剰に広くなり、編み込み作業の作業性の悪化を招くからである。
【００２６】
バスケット１０は、図１に示すように、有底角筒形のかご１１と、このかご１１の両側壁の上部中央間に跨架される略Ｕ字形の取手１２とを備え、家庭用品として使用される。これらかご１１と取手１２とは、多数の結束帯１により別々に編まれて完成品とされ、完成したかご１１の両側壁の上部中央間に、完成品の取手１２が後から編まれて跨架される。
【００２７】
上記構成において、所定の大きさ・色彩・模様のバスケット１０を製作する場合には、必要な多数の結束帯１を用意する。この際、バスケット１０の大きさ・色彩・模様に応じた結束帯１、具体的には、長い結束帯１、短い結束帯１、有彩色の結束帯１、無彩色の結束帯１等を適宜用意する。
【００２８】
必要な多数の結束帯１を用意したら、多数の結束帯１を用いてバスケット１０のかご１１と取手１２とを別々にザル編みして完成させ、完成したかご１１の両側壁の上部中央間に完成した取手１２を後から接続すれば、所定の大きさ・色彩・模様のバスケット１０を製作することができる。この際、使用する結束帯１が柔らかいので、結束帯１を自由に変形させ、バスケット１０を簡単に製作することができる。
【００２９】
上記構成によれば、結束帯１が従来の結束バンドと同等に入手が容易であり、しかも、結束帯１が結束バンドよりも薄く、被覆帯３が柔らかいので、例え結束帯１を握持して作業しても、被覆帯３の周縁部との摺接に伴い、掌や指を切るおそれが全くない。また、結束帯１の被覆帯３に覆着された鉄芯２が変形した結束帯１の形態を維持するので、手作業で多数の結束帯１を編む際、曲げた結束帯１から指を離しても、屈曲した結束帯１が元の直線形に復元することがない。したがって、結束帯１がずれて編み込み状態が解けるのを防止することができ、編み込み作業のやり直しを強いられることがない。
【００３０】
また、結束帯１の鉄芯２と一対の被覆帯３とが一体構成なので、バスケット１０の製作に際し、補強用の芯材を別に用意する手間を省くことが可能になる。また、被覆帯３がポリ塩化ビニル製の結束帯１を使用すれば、優れた耐熱性を確保することができるので、バスケット１０の使用可能な温度範囲の拡大が大いに期待できる。さらに、結束帯１の鉄芯２が結束帯１に強度を付与するので、例えバスケット１０に多少の生活用品を入れて吊り下げても、バスケット１０の損傷を防止することが可能になる。
【００３１】
次に、図３は本発明の第２の実施形態を示すもので、この場合には、多数の包装用の結束帯１を三次元にザル編みして組み合わせることにより、小物品である有底角筒形の小物入れ１３を構成し、この小物入れ１３にクリップや輪ゴム、文房具等を適宜収納するようにしている。その他の部分については、上記実施形態と同様であるので説明を省略する。
【００３２】
本実施形態においても上記実施形態と同様の作用効果が期待でき、しかも、設置されるべきスペースに適切に合致する大きさの小物入れ１３を自由、かつ簡易に得ることができるのは明らかである。
【００３３】
次に、図４は本発明の第３の実施形態を示すもので、この場合には、多数の包装用の結束帯１を三次元にザル編みして組み合わせることにより、小物品である有底角筒形の小物入れ１４を構成して平面合じゃくり形（建築分野の用語）とし、この小物入れ１４にクリップや輪ゴムを収納するようにしている。その他の部分については、上記実施形態と同様であるので説明を省略する。
【００３４】
本実施形態においても上記実施形態と同様の作用効果が期待でき、しかも、設置されるべきスペースが平面視で一部切り欠かれた不規則な場合にも、適切に嵌合する小物入れ１４を簡単に得ることができるのは明らかである。また、同形の一対の小物入れ１４を合じゃくりに嵌合すれば、スペースの無駄を省くことができる。
【００３５】
次に、図５は本発明の第４の実施形態を示すもので、この場合には、多数の包装用の結束帯１をザル編みして組み合わせることにより、小物品である鍋敷き１５を平面略正方形の板に構成し、この鍋敷き１５上に熱い鍋を搭載してテーブルやキッチン台が損傷するのを防止するようにしている。その他の部分については、上記実施形態と同様であるので説明を省略する。
本実施形態においても上記実施形態と同様の作用効果が期待でき、しかも、小物品の構成の多様化が期待できる。
【００３６】
次に、図６は本発明の第５の実施形態を示すもので、この場合には、多数の包装用の結束帯１をザル編みして組み合わせることにより、小物品であるコースター１６を平面略鳥形の板に構成し、このコースター１６上にコップやタンブラー等を搭載してこれらに付着した水滴を吸収させたり、テーブルが損傷するのを防止するようにしている。その他の部分については、上記実施形態と同様であるので説明を省略する。
本実施形態においても上記実施形態と同様の作用効果が期待でき、しかも、小物品の構成の多様化が期待できる。
【００３７】
次に、図７は本発明の第６の実施形態を示すもので、この場合には、結束帯１を形成する一対の被覆帯３の材質を変更し、この一対の被覆帯３の間に鉄芯２を挟持させてラミネート加工し、各被覆帯３の略中央部を鉄芯２の周面に沿わせて湾曲させるようにしている。
【００３８】
被覆帯３の材質としては、特に限定されるものではないが、例えばポリエチレンテレフタレートシートとポリエチレンシートとの積層シート、所定の模様が印刷された紙とポリエチレンシートとの積層シート、積層された複数枚のポリエチレンシート等があげられる。その他の部分については、上記実施形態と同様であるので説明を省略する。
【００３９】
本実施形態においても上記実施形態と同様の作用効果が期待でき、しかも、結束帯１をラミネート加工するので、耐色あせ性や耐水性を向上させ、結束帯１の長期使用が可能になる。また、所定の模様を印刷した紙の活用、艶加工、艶消し加工により、結束帯１に高級感や上質感を付与することができる。さらに、被覆帯３の露出する最外層が紙製の場合には、被覆帯３の表面４に文字、数字、図形、記号等の模様を簡単に描くことができる。
【００４０】
なお、上記実施形態では多数の結束帯１をザル編みしたが、こだし編み（縦横の結束帯１をそれぞれ一定間隔に開けて編む編み方）、網代編み（平坦な結束帯１を１本、又は細い結束帯１を複数組み合わせ、隙間なく縦横方向に編む編み方）、波編み（波のような模様を編む編み方）、みだれ編み（長短や太さの様々な結束帯１を用い、各方向から不規則に編み込んでいく編み方）、菊底編み（基盤の結束帯１を放射状に重ね、結束帯１を中心から外方向に向かって互い違いに編み、編み目模様を菊の花に類似させる編み方）しても良い。また、これら以外にも、四ツ目編み、六ツ目編み、亀甲編み、松葉編み、捩じり編み、蜘蛛の巣編み、石畳編み等の編み方で編んでも良い。
【００４１】
また、上記実施形態ではカラータイに代表される結束帯１の鉄芯２を一対の被覆帯３の間に挟んで覆着したが、何らこれに限定されるものではない。例えば、鉄芯２を一対の被覆紙により挟んで被覆したり、鉄芯２を一対の被覆布で挟んで被覆しても良い。
【産業上の利用可能性】
【００４２】
本発明に係る結束帯製組立物品は、家庭用品、キッチン用品、教育玩具、事務用品、文房具、雑貨用品等の分野で使用される。
【符号の説明】
【００４３】
１        結束帯
２        鉄芯（線条芯）
３        被覆帯（被覆部材）
４        表面（露出面）
１０      バスケット（小物品）
１１      かご（小物品）
１２      取手（小物品）
１３      小物入れ（小物品）
１４      小物入れ（小物品）
１５      鍋敷き（小物品）
１６      コースター（小物品）
【図１】
2018157995.tif 000003
【図２】
2018157995.tif 000004
【図３】
2018157995.tif 000005
【図４】
2018157995.tif 000006
【図５】
2018157995.tif 000007
【図６】
2018157995.tif 000008
【図７】
2018157995.tif 000009